(57)【要約】【課題】  破損、消耗した固定刃又は回転刃の個々の取替が簡単、迅速に行うことができるようにすると共に、バケットカバーをバケットの奥まで回動して、被破砕物を強力に押し込み、能率よく、細かく破砕できるようにした破砕機を提供する。【解決手段】  被破砕物５０の開口部２１と排出部２２とを備えたバケット２０と、バケット２０の両側壁２４に軸支された回転ドラム１１と、回転ドラム１１に近接して並べられた複数個の刃先山形状の固定刃１３と、回転ドラム１１の円周面に、固定刃１３の山形状谷部１３１に順次嵌合できるように設けられた複数個の刃先山形状の回転刃１２と、一対のブラケット２００、ベルクランク３２１、リンク３２２、一対のアーム３００、バケットカバー３０、カバーシリンダ３３からなる４節リンク装置と、バケットカバー３０の先端が密接して回動してバケット２０内に嵌入できるように円弧状に形成されたバケット底壁２３とを備えたもの。【選択図】        図２
2006305513.tif 000002
【特許請求の範囲】
【請求項１】
回転ドラム１１の円周面に設けた複数個の回転刃１２と、回転ドラム１１に近接して設けた複数個の固定刃１３とにより正逆転して破砕する破砕装置であって、固定刃１３が刃先山形状刃のものからなり、回転刃１２が固定刃１３の刃先山形状刃の谷部１３１に回転ドラム１１の回転に伴って順次嵌合する刃先山形状刃のものからなり、回転刃１２は、回転ドラム１１の円周面に設けた断面山形状体の刃物台１２１に個々に取り外し可能に取り付けた１個の刃先山形状刃を有する三角歯か３個の刃先山形状刃を有する三角歯からなり、固定刃１３は、複数個の刃先山形状刃を形成した平板１３０状固定刃１３を複数個並べて個々の平板１３０状固定刃１３を取り外し可能に取り付けたものか、又は、３個の刃先山形状刃を設けた三角歯（図示しない）又は４個の刃先山形状刃を設けた菱形歯１３Ｂを形成した固定刃１３を個々に長板に取り外し可能に取り付けたものからなるものであることを特徴とする破砕機。
【請求項２】
廃棄物等の被破砕物５０を投入する開口部２１と被破砕物５０を排出する排出部２２とを備えたバケット２０と、バケット２０の両側壁２４に回転可能に軸支された回転ドラム１１と、バケット２０の両側壁２４に支持され、回転ドラム１１に近接して並べられた複数個の刃先山形状の固定刃１３と、回転ドラム１１の円周面に、固定刃１３の山形状谷部１３１に回転ドラム１１の回転に伴って順次嵌合できるように設けられた複数個の刃先山形状の回転刃１２と、前記バケット２０の開口部２１の上面にそれぞれ設けた一対のブラケット２００、各ブラケット２００に一端を軸着したベルクランク３２１、各ベルクランク３２１の他端に一端を軸着したリンク３２２、各リンク３２２の他端に一端を軸着したアーム３００、一対のアーム３００に固着したバケットカバー３０及び一対のベルクランク３２１の中間部３２１１にそれぞれ軸着したロッド３３１を有するカバーシリンダ３３からなる４節リンク装置と、バケットカバー３０の先端が密接して回動してバケット２０内に嵌入できるように円弧状に形成されたバケット底壁２３とを備えたことを特徴とするパワーショベルの廃棄物等の破砕機。
【請求項３】
被破砕物５０の中の鉄屑（図示しない）を吸着除去できるように、バケット底壁２３の外面又は側壁２４の外面に電磁石４０を設けたことを特徴とする請求項１及び２記載の破砕機。
【請求項４】
被破砕物５０の細片が回転刃１２の刃元に侵入するのを防止するため、回転刃１２の前方のドラム１１の外周面に刃元を囲む刃物保護体１２２０を取り付けたことを特徴とする請求項１、２及び３記載の破砕機。
【発明の詳細な説明】
【技術分野】
【０００１】
本発明は、岩石、鉄系金属を除く各種廃棄物等の押込み、破砕、積込及び積卸しに使用される破砕機に関する。
【背景技術】
【０００２】
従来のバケットを備えた破砕機は、第９図に示すように、バケット１内に油圧モータで回転される回転ドラム２と、回転ドラム２に櫛歯状に並べられた回転刃３と、回転刃３の間を閉塞するように配置された固定刃４を備えると共に、バケット開口部５を覆うように開閉できるバケットカバー６を設けていたが、回転刃３、固定刃４、いずれも、部分的に１つの刃が破損しても回転刃列全部又は固定刃列全部を取り外してからその破損刃を取替なければならない欠点があり、多大の労力と時聞を要していた。
また、バケットカバー６は、被破砕物のつかみ上げや、バケット内からの被破砕物の飛散防止のためバケット開口部５を覆うように開閉するよう形成されていたが、バケットの中まで被破砕物を押し込んで供給することができないので破砕が不充分になる欠点があった。
そこで本発明者は、固定刃を少なくとも複数組の山形状平板に形成して、平板を個々に取替できるようにすると共に、個々の固定刃の山形状の谷部に嵌合して回転する回転刃を個々にドラムの円周面に取り付けて個々に取替できるようにし、固定刃、回転刃のいずれが破損しても、破損刃のみを取付ボルトを介して取替可能とし、また、バケットに設けた４節リンク装置を介してバケットカバーを駆動できるようにすると共に、バケットカバーをバケット内に嵌入できるようにして、被破砕物を回転刃と固定刃の間に押しつけて強力に破砕し、被破砕物の残留を減少させることができるようすることに成功した。
【特許文献１】特開２００４−６６２１３号公報
【発明の開示】
【発明が解決しようとする課題】
【０００３】
本発明は、破損、または、消耗した固定刃又は回転刃の個々の取替が簡単、迅速に行うことができるようにした破砕機を提供することにある。
また、本発明は、バケットに設けたバケットカバーをバケットの奥まで回動して、被破砕物を強力に押し込み、能率よく、細かく破砕できるようにした破砕機を提供することにある。
【課題を解決するための手段】
【０００４】
本発明の廃棄物等の破砕機は、上記課題を達成するため、図１及び図４に示すように、回転ドラム１１の円周面に設けた複数個の回転刃１２と、回転ドラム１１に近接して設けた複数個の固定刃１３とにより正逆転して破砕する破砕装置であって、固定刃１３が刃先山形状刃のものからなり、回転刃１２が固定刃１３の刃先山形状刃の谷部１３１に回転ドラム１１の回転に伴って順次嵌合する刃先山形状刃のものからなり、回転刃１２は、回転ドラム１１の円周面に設けた断面山形状体の刃物台１２１に個々に取り外し可能に取り付けた１個の刃先山形状刃を有する三角歯か３個の刃先山形状刃を有する三角歯からなり、固定刃１３は、複数個の刃先山形状刃を形成した平板１３０状固定刃１３を複数個並べて個々の平板１３０状固定刃１３を取り外し可能に取り付けたものか、又は、３個の刃先山形状刃を設けた三角歯（図示しない）又は４個の刃先山形状刃を設けた菱形歯１３Ｂを形成した固定刃１３を個々に長板に取り外し可能に取り付けたものからなるものである。
また、本発明の廃棄物等の破砕機は、上記課題を達成するため、図２、図３及び図６に示すように、廃棄物等の被破砕物５０を投入する開口部２１と被破砕物５０を排出する排出部２２とを備えたバケット２０と、バケット２０の両側壁２４に回転可能に軸支された回転ドラム１１と、バケット２０の両側壁２４に支持され、回転ドラム１１に近接して並べられた複数個の刃先山形状の固定刃１３と、回転ドラム１１の円周面に、固定刃１３の山形状谷部１３１に回転ドラムの回転に伴って順次嵌合できるように設けられた複数個の刃先山形状の回転刃１２と、前記バケット２０の開口部２１の上面にそれぞれ設けた一対のブラケット２００、各ブラケット２００に一端を軸着したベルクランク３２１、各ベルクランク３２１の他端に一端を軸着したリンク３２２、各リンク３２２の他端に一端を軸着したアーム３００、一対のアーム３００に固着したバケットカバー３０及び一対のベルクランク３２１の中間部３２１１にそれぞれ軸着したロッド３３１を有するカバーシリンダ３３からなる４節リンク装置と、バケットカバー３０の先端が密接して回動してバケット２０内に嵌入できるように円弧状に形成されたバケット底壁２３とを備えたものである。
さらに、本発明の廃棄物等の破砕機は、上記課題を達成するため、図２及び図３に示すように、被破砕物５０の中の鉄屑（図示しない）を吸着除去できるように、バケット底壁２３の外面又は側壁２４の外面に電磁石４０を設けたものである。
さらにまた、本発明の廃棄物等の破砕機は、上記課題を達成するため、図４に示すように、被破砕物５０の細片が回転刃の刃元に侵入するのを防止できるように、回転刃１２の前方の回転ドラム１１の外周面に刃元を囲む刃物保護体１２２０を取り付けたものである。
本発明において、固定刃１３は、回転ドラム１１に近接して、回転ドラム１１の軸線方向に設けられるが、固定刃１３は、図１及び図４に示すように、複数個の山形状刃を形成する平板１３０状のものや、図８に示すように、４個の山形状刃先を有する個々の菱形状の固定刃１３Ｂ又は３個の山形状刃先を有する三角状固定刃（図示しない）を形成するものからなり、固定刃１３の消耗、破損の場合、平板１３０状の固定刃１３は、平板１３０毎に取付ボルト１３２を介して取替ができ、個々の三角形状固定刃又は菱形状固定刃１３Ｂは、三角形状固定刃は３個の刃先、菱形状固定刃１３Ｂは４個の刃先１３０１Ｂが形成されるので、取付ボルト１３２Ｂを緩めて回転させれば新しい刃先に取替ができるようにそれぞれ取り付けられている。
また、回転刃１２は、図１及び図４に示すように、三角形状刃に形成され、回転ドラム１１の円周面上に、回転ドラムの回転方向に伴って固定刃１３の谷１３１に順次嵌合できるように、回転ドラム１１円周面上に固着した断面三角形状刃物台１２１に取付ボルト１２０により取り付けられており、回転刃１２は、消耗、破損の場合は、刃物台１２１から取付ボルト１２０を介して個々に取替できるように取り付けられている。
また、本発明において、電磁石４０は、バケット底壁２３外面又は側壁２４の外面に取り付けられ、パワーショベルの電源（図示しない）又はバッテリー（図示しない）からの給電で使用される。
また、刃物保護体１２２０は、刃元を囲むＵ字体状体、Ｉ字体状体、Ｌ字体状体又は直方体状体のものなどがある。
さらにまた、本発明において、４節リンク装置は、図２、図３及び図６に示すように、バケット２０本体上部のブラケット２００と、倍力機構のベルクランク３２１と、リンク３２２と、バケットカバー３０とが、それぞれ回動可能に連結されてなり、ベルクランク３２１の中間部３２１１に軸着するカバーシリンダ３３のロッド３３１の駆動により、ベルクランク３２１の先端に軸着するリンク３２２を介してバケットカバー３０が回動できるようになっている。
ベルクランク３２１は、カバーシリンダ３３の駆動力を拡大してリンク３２２に伝えると共に、ベルクランク３２１の先端の回動が大きくなるように形成されているので、バケットカバー３０の押込力が強くなると共に、バケットカバー３０の回動角度を大きくし、円弧状に形成したバケット底壁２３と相俟って、バケットカバー３０の先端をバケット２０の奥まで押し込むことができるようになっている。
【発明の効果】
【０００５】
本発明の破砕機は、固定刃、回転刃、いずれも個々に取替が迅速簡単にできる上に、４節リンク装置と断面円弧状に形成したバケット底壁とを備えバケット内に嵌入できるようにしたバケットカバーにより、バケット内の奥まで被破砕物を押し込んで、強力に破砕すると共に、破砕残を少なくできる利点がある。また、バケットとバケットカバーで廃棄物をかかえ込んで積込み、積卸し等多目的に使用できる利点がある。
【発明を実施するための最良の形態】
【０００６】
本発明破砕機は、バケットと、バケットの両側壁に回転可能に軸支された回転ドラムと、バケットの両側壁に支持された固定刃と、回転ドラムの円周面に設けた回転刃と、４節リンク装置を設けたバケットカバーと、断面円弧状に形成したバケット底壁を備えているものである。
【実施例】
【０００７】
本発明の実施例が図１乃至図８に示されている。
本発明実施例のパワーショベルの破砕機は、回転ドラム１１と、回転刃１２と、固定刃１３と、バケット２０と、バケットカバー３０と、電磁石４０とを備えている。
回転ドラム１１は、バケット２０の両側壁２４、２４に軸支され、両側壁２４、２４の外面に設けた油圧モーター１１０１により正逆回転方向に駆動できる。
固定刃１３は、図１及び図４に示すように、平板１３０に複数組の山形状刃を形成し、回転ドラム１１に近接して設け、両側壁２４、２４に、支持されたものである。
回転刃１２は、図１及び図４に示すように、回転ドラム１１の円周上に、複数組の山形状刃の回転刃１２を、固定刃１３の山形状谷１３１に、回転ドラム１１の回転に伴って順次嵌入できるように、回転ドラム１１の円周面に固着される刃物台１２１に取付ボルト１２０を介して固定されている。
バケット２０は、図７に示すように、前方の投入用開口部２１と後方の排出部２２と両側壁２４、２４を形成すると共に、後述のバケットカバー３０の先端が開口部２１内に入りこんで、密接して回動できるように円弧状に形成した底壁２３を設け、バケット２０上面に設けたアーム取付用ブラケット２５の軸孔２７を介して油圧ショベル１のアーム２先端に回動可能に軸着すると共に、ブラケット２５の軸孔２６を介してバケットシリンダ３のロッドリンク５に回動可能に軸着されている。
バケットカバー３０は、バケット２０の開口部２１の上面のブラケット２００に軸支され、４節リンク装置を構成するベルクランク３２１とリンク３２２を介してカバーシリンダ３３で回動できるようにしている。
４節リンク装置は、図２、図３及び図６に示すように、バケット２０上面に設けた一対のブラケット２００と、倍力槓杆の一対のベルクランク３２１と、一対のリンク３２２と、バケットカバー３０とからなり、各ベルクランク３２１は、下端の第２連結部３２１２でバケット本体のブラケット２００と遊転可能に連結され、先端の第３連結部３２１３でリンク３２２と回動可能に連結され、その中間の第１連結部３２１１でカバーシリンダ３３のシリンダロツド３３１と回転可能に連結され、リンク３２２の他端がバケットカバー３０のアーム３００の第４連結部３０１に回動可能に連結され、一対のアーム３００に固着したバケットカバー３０の第５連結部３０２でバケット２０のブラケット２００と遊転可能に連結して構成されている。
また、バケットカバー３０は、図５に示すように、一対のアーム３００、３００に設けた第５連結部３０２、３０２でバケット本体の一対のブラケット２００、２００と遊転可能に連結されると共に、両側の連結部３０２、３０２はカウンタシャフト３４（中間軸）で直結され、アーム３００上端の第４連結部３０１でリンク３２２の下端に回動可能に連結されている。
従って、破砕機を使用するときは、油圧ショベル１のアーム２を駆動し、バケット２０の下端を被破砕物５０に近接させ、電磁石４０により、破砕物５０中の鉄屑を吸着して取り除いたのち、アーム２に設けた電磁弁（図示しない）を切り換えて、バケットシリンダ３への供給油圧をカバーシリンダ３３へ供給すれば、シリンダロッド３３１と第１連結部３２１１を介して、ベルクランク３２１が第２連結部３２１２を中心に遊転し、先端の第３連結部３２１３でリンク３２２を押し、リンク３２２の下端がバケットカバー３０の第４連結部３０１を押し、バケットカバー３０が両側の第５連結部３０２、３０２を中心に遊転し、４節リンクとして作動し、バケットカバー３０全体を回動させることができると共に、第５連結部３０２、３０２に設けたカウンタシャフト３４により、バケットカバー３０の先端の左右に当たる被破砕物５０の負荷のアンバランスを補正することができる。
バケットカバー３０の回動により被破砕物５０をバケット内に取り込み、さらに、回転ドラム１１へ押しつけるようにバケット２０内まで回動させると共に、アーム２に設けた別の電磁弁（図示しない）を切り換えて、バケットシリンダ３への供給油圧を回転ドラム１１の駆動油圧モータヘ供給し、回転刃１２と固定刃１３の間で被破砕物５０を破砕することになる。
破砕された小片の被破砕物は、バケット２０の排出部２２から排出される。
【産業上の利用可能性】
【０００８】
本発明の破砕機は、構造簡単で製作容易であり、量産できると共に、廃棄物処理の現場において汎用の油圧ショベルに取り付けて使用できる。
【図面の簡単な説明】
【０００９】
【図１】本発明破砕機の原理を示す説明図である。
【図２】本発明実施例のバケットの説明図である。
【図３】図２のバケットの別の説明図である。
【図４】本発明の回転刃と固定刃の関係を示す説明図である。
【図５】図３のバケットカバーの正面図である。
【図６】図２からアーム取付用ブラケット部分を省略した４節リンク機構の説明図である。
【図７】本発明の使用状態を示す説明図である。
【図８】本発明の別の実施例の斜視図である。
【図９】従来例の説明図である。
【符号の説明】
【００１０】
１１、１１Ｂ    回転ドラム
１２、１２Ｂ    回転刃
１２０、１２０Ｂ    回転刃の取付ボルト
１２１、１２１Ｂ    刃物台
１２１１    突起
１２２０    刃物保護体
１３、１３Ｂ    固定刃
１３０    平板
１３１、１３１Ｂ    固定刃の谷部
１３２、１３２Ｂ    固定刃の取付ボルト
２０    バケット
２１    バケットの開口部
２２    バケットの排出部
２３    バケットの底壁
２４    バケットの側壁
３０    バケットカバー
３２１    ベルクランク
３２１１    ベルクランクの中間部
３２２    リンク
３３    カバーシリンダ
３３１    カバーシリンダのロッド
４０    電磁石
５０    被破砕物
【図１】
2006305513.tif 000003
【図２】
2006305513.tif 000004
【図３】
2006305513.tif 000005
【図４】
2006305513.tif 000006
【図５】
2006305513.tif 000007
【図６】
2006305513.tif 000008
【図７】
2006305513.tif 000009
【図８】
2006305513.tif 000010
【図９】
2006305513.tif 000011